(57)【要約】【課題】  低コスト及び省スペースを維持しつつ、冷媒通路毎に任意の冷媒流量を適正に分配することのできる冷媒分配器を得る。また、異物のつまりが発生しにくい冷媒分配器を得る。【解決手段】  冷媒分配器は、冷媒を並列に流す多数の伝熱管３１を有し、蒸発器として動作する熱交換器３に接続され、多数の伝熱管に冷媒を分配して流す。この冷媒分配器は、多数の伝熱管の入口側に沿って長く配設されたヘッダ５７と、このヘッダから多数に分岐されてそれぞれが直線状に延びる多数の液分岐管５８ａ〜５８ｅとを備え、この液分岐管は多数の伝熱管の入口側に接続されると共に、該液分岐管の内面には螺旋溝が形成されている。この螺旋溝の内径や長さなどの寸法を適宜選択することにより、各冷媒通路に必要流量を流すことができる。【選択図】図３
2009222366.tif 000002
【特許請求の範囲】
【請求項１】
冷媒を並列に流す多数の伝熱管を有し且つ蒸発器として動作する熱交換器に接続され、前記多数の伝熱管に冷媒を分配して流す冷媒分配器において、
分配部と、
この分配部から多数に分岐されて延びる多数の分岐管とを備え、
この分岐管は前記多数の伝熱管の入口側に接続されると共に、該分岐管の内面には分岐管内面を流れる冷媒の流通抵抗を調節するための螺旋状の抵抗部が設けられていることを特徴とする冷媒分配器。
【請求項２】
冷媒を並列に流す多数の伝熱管を有し且つ蒸発器として動作する熱交換器に接続され、前記多数の伝熱管に冷媒を分配して流す冷媒分配器において、
前記多数の伝熱管の入口側に沿って長く配設されたヘッダと、
該ヘッダから多数に分岐されて延びる多数の分岐管とを備え、
この分岐管は前記多数の伝熱管の入口側に接続されると共に、該分岐管の内面には螺旋溝が形成されていることを特徴とする冷媒分配器。
【請求項３】
請求項２において、前記分岐管の内面に形成された螺旋溝の寸法は、分岐管毎に違いを持たせたことを特徴とする冷媒分配器。
【請求項４】
請求項３において、前記分岐管内面に形成した螺旋溝は、その長さが２０〜１６０mm、内径が１.６〜３.０mmであることを特徴とする冷媒分配器。
【請求項５】
請求項２において、前記ヘッダへの入口側に接続され且つ前記ヘッダの流路断面積より大きい流路断面積を有する均質流下部を設け、この均質流下部の胴体内には微細な穴を有する多孔体が配置されていることを特徴とする冷媒分配器。
【請求項６】
請求項５において、前記均質流下部の胴体内に設けた前記多孔体の入口側及び出口側に網目状フィルタを設置したことを特徴とする冷媒分配器。
【請求項７】
冷媒を並列に流す多数の伝熱管を有し且つ蒸発器として動作する熱交換器に接続され、前記多数の伝熱管に冷媒を分配して流す冷媒分配器において、
前記多数の伝熱管の入口側に沿って長く配設されたヘッダと、
該ヘッダから多数に分岐されて延びる多数の分岐管とを備え、
この分岐管は前記多数の伝熱管の入口側に接続されると共に、該分岐管の内面には螺旋溝形状を有するピース或いは螺旋状のバネ状部材が挿入設置されていることを特徴とする冷媒分配器。
【発明の詳細な説明】
【技術分野】
【０００１】
本発明は冷媒分配器に係り、主として空気調和機等で蒸発器として動作する熱交換器に冷媒を分配する冷媒分配器として好適なものである。
【背景技術】
【０００２】
空気調和機に用いられる蒸発器として動作する熱交換器の冷媒入口側には、冷媒通路を複数に分流するための冷媒分配器が使用される。
【０００３】
従来の冷媒分配器として、特開平２−１７３６８号公報（特許文献１）に記載されたものがある。この冷媒分配器は、蒸発器に入る前の気液二相状態の冷媒をオリフィスを介して縮流させた冷媒を気液混合室に導いて混合し、その混合冷媒を複数の分岐管により導出させ、蒸発器を構成する複数の伝熱管に導入するようにした分配器（ディストリビュータ）を備えることが開示されている。これによれば、気液二相冷媒を予め気液混合室において混合することができるため、気液二相冷媒を各分岐管に均等に分配することができる。
【０００４】
一方、従来の他の冷媒分配器としては、特開２００２−２２３１３号公報（特許文献２）に記載されたものがある。この冷媒分配器は、長手方向に多数の冷媒管接続口を有した容器と、この容器の一端から反対側近傍まで挿入された流入管から構成し、容器と流入管との間に冷媒を流通させることにより、冷媒の流速を増加させて気相と液相の混合状態を保ち、下部の冷媒管と上部の冷媒管での冷媒を均等に分流することができるようにしたものである。
【０００５】
更に他の従来の冷媒分配器としては、特開２００１−１３３０７８号公報（特許文献３）に記載されたものもある。この従来技術のものでは、分岐管の上流側にオリフィス状の流通制御板を内蔵し、各分岐管のオリフィス内径に違いを持たせて流量制御を行うようにしたものである。
【０００６】
【特許文献１】特開平２−１７３６８号公報
【特許文献２】特開２００２−２２３１３号公報
【特許文献３】特開２００１−１３３０７８号公報
【発明の開示】
【発明が解決しようとする課題】
【０００７】
特許文献１の冷媒分配器を蒸発器入口に配置すると、ディストリビュータ及び分岐管の構造上、大きなスペースを必要とするため室内機及び室外機のユニットサイズが大きくなるという課題がある。また、ディストリビュータと伝熱管接続部との距離が離れている場合には、分岐管が長くなることから材料費が高くなるという課題があった。
【０００８】
一方、特許文献２の冷媒分配器では、容器の一端から反対側近傍まで挿入する流入管が必要であるためコストアップを招くと共に、冷媒の流速を増加させることで冷媒を均等に分流させる構造であるため、冷媒循環量が低下した場合には均等に分配できないという課題があった。
【０００９】
更に、熱交換器を通過する空気の上下の速度分布が大きいものでは、各分岐管に流れる冷媒流量に差をつけることが望ましいが、特許文献２の分配器ではこれが考慮されておらず、仮に分岐管の内径に差をつけて調整した場合、ヘッダから伝熱管までの距離が小さいため分岐管が短くなる場合には、分岐管の内径を極端に小さくする必要が生じ、金属紛等の異物（コンタミ）がつまりやすくなり信頼性の確保ができないという問題があった。
【００１０】
しかしこの従来技術では、分岐管に流れる流量を大幅に少なくするときには、内径を極端に小さくする必要がある。この場合には、サイクル中の異物が流路に閉塞されやすくなるという問題がある。
【００１１】
また、特許文献３記載のものでは、オリフィス内径の違いのみで流量を調整するため、その寸法精度に対する要求が高くなり、加工コストが増加する。更に、オリフィスによる流路の急激な変化により冷媒の流れが乱され、不快な流動音が発生し易い。
【００１２】
本発明の目的は、低コスト及び省スペースを維持しつつ、不快な流動音の発生も防止して冷媒通路毎に任意の冷媒流量を適正に分配することができる冷媒分配器を得ることにある。
【課題を解決するための手段】
【００１３】
上記目的を達成するため、本発明の特徴は、冷媒を並列に流す多数の伝熱管を有し且つ蒸発器として動作する熱交換器に接続され、前記多数の伝熱管に冷媒を分配して流す冷媒分配器において、分配部と、この分配部から多数に分岐されて直線状或いは曲線状に延びる多数の分岐管とを備え、この分岐管は前記多数の伝熱管の入口側に接続されると共に、該分岐管の内面には分岐管内面を流れる冷媒の流通抵抗を調節するための螺旋状の抵抗部が設けられていることにある。
【００１４】
本発明の他の特徴は、冷媒を並列に流す多数の伝熱管を有し且つ蒸発器として動作する熱交換器に接続され、前記多数の伝熱管に冷媒を分配して流す冷媒分配器において、前記多数の伝熱管の入口側に沿って長く配設されたヘッダと、このヘッダから多数に分岐されてそれぞれが直線状或いは曲線状に延びる多数の分岐管とを備え、この分岐管は前記多数の伝熱管の入口側に接続されると共に、該分岐管の内面には螺旋溝が形成されていることにある。
【００１５】
ここで、前記分岐管の内面に形成された螺旋溝の寸法（長さ又は内径等）は、分岐管毎に違いを持たせることにより、冷媒通路毎に任意の冷媒流量を適正に分配することができる。また、前記分岐管内面に形成した螺旋溝は、その長さが２０〜１６０mm、内径が１.６〜３.０mmであると良い。
【００１６】
また、前記ヘッダへの入口側に接続され且つ前記ヘッダの流路断面積より大きい流路断面積を有する均質流下部を設け、この均質流下部の胴体内に微細な穴を有する多孔体を配置すると良い。ここで、前記均質流下部の胴体内に設けた前記多孔体の入口側及び出口側に網目状フィルタを設置すると更に良い。
【００１７】
本発明の更に他の特徴は、冷媒を並列に流す多数の伝熱管を有し且つ蒸発器として動作する熱交換器に接続され、前記多数の伝熱管に冷媒を分配して流す冷媒分配器において、前記多数の伝熱管の入口側に沿って長く配設されたヘッダと、このヘッダから多数に分岐されてそれぞれが直線状或いは曲線状に延びる多数の分岐管とを備え、この分岐管は前記多数の伝熱管の入口側に接続されると共に、該分岐管の内面には螺旋溝形状を有するピース或いは螺旋状のバネ状部材が挿入設置されていることにある。
【発明の効果】
【００１８】
本発明によれば、分配部（ヘッダ）から多数に分岐されて延びる多数の分岐管を備え、この分岐管の内面には、螺旋溝，螺旋溝形状を有するピース、或いは螺旋状のバネ状部材などの抵抗部を設けているので、冷媒分配器の設置スペースを小さくでき、機器の小型化が可能となる。また、熱交換器を通過する吸込空気の速度分布に合わせて冷媒分配を適正化できるので、熱交換器の性能を最大限に発揮させることができる。更に、構造を簡易化できることから製造コストも低減できる。また、螺旋形状を有する抵抗部を設けて、各々の分岐管に必要な流路抵抗を与えるため、極端に小さな流路断面積にしなくても必要な流路抵抗を発生させることができ、流路が冷凍サイクル中の異物（コンタミ）等で閉塞されるリスクを最小限に抑えて空気調和機などの信頼性を向上できる効果がある。更に、分岐管内面に設けた螺旋状の抵抗部により流量調整をする構成としたことにより、オリフィスを設けた場合のように、流路の急縮小や急拡大がなく、螺旋状抵抗部の長さも大きくできるため、冷媒の流れが乱され難い構造にでき、不快な流動音が発生するのも防止して冷媒通路毎に任意の冷媒流量を適正に分配することができる効果がある。更にまた、オリフィスを設けて流量調整する場合に比べ、螺旋状抵抗部の内径，長さ，溝高さ，捻り角度など種々の寸法を選択して自由度の高い流量調整が可能になると共に、高い寸法精度も必要としないため加工コストも低減できる。
【発明を実施するための最良の形態】
【００１９】
以下、本発明の具体的実施例を図面を用いて説明する。
【実施例１】
【００２０】
図１は本発明の冷媒分配器を用いた冷凍サイクルの例を示すものである。図１において、実線矢印は冷房運転時の冷媒の流れを示し、破線矢印は暖房運転時の冷媒の流れを示す。
【００２１】
破線矢印で示す暖房運転時の冷凍サイクルを説明する。圧縮機１で圧縮されて高温高圧となったガス冷媒は、四方弁２を通過し、ガス阻止弁１０及びガス側接続配管９を通って、室内機２００へと導かれる。室内機２００へ導かれた冷媒は、室内熱交換器８において室内送風機３３で送風された室内空気により冷却されて凝縮し、液冷媒となる。室内熱交換器８は暖房運転時に凝縮器として作用する。この液冷媒は、開状態（通常全開）の室内膨張弁７を通過し、液側接続配管６及び液阻止弁５を通って、室外機１００側へ戻される。
【００２２】
室外機１００へ戻された液冷媒は、室外膨張弁４により減圧・沸騰され、気液二相状態になる。この気液二相状態の冷媒は、図２で示すように、均質流下部５０に流入し、二相流の気相と液相が微細化されて均一化される。その後、液ヘッダ５７で上方に流れながら、途中で複数の液分岐管（分岐管）５８に分岐される。各液分岐管５８に分岐された冷媒は、室外熱交換器３の各伝熱管３１に流入し、室外送風機３０により送風される室外空気で加熱されて蒸発し、ガス冷媒となる。室外熱交換器３は、暖房運転時には蒸発器として作用する。この室外熱交換器３からのガス冷媒は、四方弁２を通過し、アキュムレータ１１を通って圧縮機１に再び戻る。これによって、冷媒が循環する一連の冷凍サイクルが構成される。
【００２３】
ここで、冷凍サイクル中の冷媒にはＲ４１０Ａ，Ｒ４０４Ａ，Ｒ４０７Ｃ，Ｒ１３４ａ等のＨＦＣ系冷媒が一般的に使用されるが、二酸化炭素やアンモニア，プロパンやイソブタン等の自然冷媒あるいは、Ｒ３２，ＨＦＯ−１２３４ｙｆ及びこれらの混合物等のＧＷＰ（Global Warming Potential：地球温暖化係数）が小さい冷媒を使用することで、空気調和機からの冷媒漏洩や回収時の冷媒漏洩により、もたらされる地球温暖化の直接影響を少なくすることができる。
【００２４】
また、四方弁２を図１の実線のように切替えることにより、冷媒の流路方向が切替えられ、冷房運転とすることができる。この場合には室外熱交換器３が凝縮器，室内熱交換器８が蒸発器として作用することとなる。
【００２５】
次に、図２から図５を参照しながら、暖房運転時において蒸発器として作用する室外熱交換器３、及び室外熱交換器側に設けられた冷媒分配器４０の構成及び動作について説明する。
【００２６】
図２に示すように、室外熱交換器３は、冷媒を並列に流す多数の伝熱管３１とフィン３２とで構成されるフィンチューブ型熱交換器で構成されている。伝熱管３１はＵ字状管で構成され、各伝熱管３１の入口側及び出口側は、熱交換器の一方の面に位置され、多数の伝熱管３１が上下方向に配列されている。
【００２７】
室外熱交換器側に設けられた冷媒分配器４０は、室外熱交換器３の多数の伝熱管３１に冷媒を分配して流すためのものであり、図２に示すように、液ヘッダ５７，液分岐管５８，均質流下部５０，ガスヘッダ７０及びガス分岐管７１を備えている。
【００２８】
液ヘッダ５７は、多数の伝熱管３１の入口側に沿って、これに対向するように上下方向に長く延びるように配置されている。液ヘッダ５７の流路断面積は、伝熱管３１及び液分岐管５８の流路断面積より大きく設定されている。液分岐管５８は、液ヘッダ５７から多数分岐されて直線状に延び、その先端部が各伝熱管３１の入口側に接続されている。
【００２９】
ここで、液分岐管５８は、図３に示すように、その内面に螺旋溝（螺旋状抵抗部）が形成されており、各冷媒通路（液分岐管を含む）を流通する冷媒に対して抵抗を与えるようにしている。各液分岐管５８ａ〜５８ｅに設けられた螺旋溝の寸法、即ち、螺旋溝の長さ、ピッチ或いは溝高さ等の形状が異なるものを使用することで、各通路に流れる冷媒量を任意に調整することが可能となる。
【００３０】
均質流下部５０は、図２及び図４に示すように、液ヘッダ５７の入口側に接続され且つ液ヘッダ５７の流路断面積より大きい流路断面積を有する胴体５１と、この胴体５１内の中間部に配置され、且つ微細な穴を有する多孔体５３などから構成されている。多孔体５３は、カシメ５５ａ，５５ｂにより胴体５１との間に隙間のないように固定されている。  
【００３１】
このため、流入口５２から流入する気液二相状態の冷媒はすべて多孔体５３を通過し、流出口５４から液ヘッダ５７へ流出する。ここで、多孔体５３は、ニッケル金属やアルミ合金の焼結体或いは、デミスタ材の圧縮部材などにより構成されており、気孔及び間隙の大きさが０.３〜１.０mm程度に成形されたものを使用している。
【００３２】
図４に示す均質流下部５０の別の例を図５に示す。図５の例は、多孔体５３の前後両側に網目状フィルタ５６ａ，５６ｂを配置したものである。具体的には、多孔体５３の入口側に多孔体５３の平均孔径よりも小さな網目径を有する入口側の網目状フィルタ５６ａ、及び多孔体５３の出口側に多孔体５３の出口面積よりも大きな流路面積を有すると共に多孔体５３の平均孔径よりも小さな網目径を有する網目状フィルタ５６ｂを設置したものである。入口側の網目状フィルタ５６ａは入口側に円錐状に突出して形成され、出口側の網目状フィルタ５６ｂは出口側に円錐状に突出して形成されている。この網目状フィルタ５６ａ，５６ｂは多孔体の平均孔径の大きさ０.３〜１.０mmよりも細かい網目径のものが用いられ、例えば１００メッシュ（０.２５４mmピッチ）のものが用いられる。
【００３３】
このように網目状フィルタ５６ａ，５６ｂを設けることにより、冷凍サイクル中の金属紛等の異物（コンタミ）が多孔体の間隙に詰まることを防止できる。
【００３４】
ガスヘッダ７０は、多数の伝熱管３１の出口側に沿って、この出口側と対向するように上下方向に長く伸びるように配置されている。ガスヘッダ７０の流路断面積は、伝熱管３１及びガス分岐管７１の流路断面積より大きく設定されている。ガス分岐管７１は、ガスヘッダ７０から多数分岐されて直線状に延び、その先端が各伝熱管３１の出口側に接続されている。液ヘッダ５７とガスヘッダ７０とは左右に隣接して配置されている。
【００３５】
暖房運転時に室外機１００に流入した液冷媒は、室外膨張弁４を通過するときに減圧，沸騰されて気液二相状態となり、この気液二相状態の冷媒は、均質流下部５０で二相流の気相と液相が微細化されて均一化される。このため、液分岐管５８の入口では気液二相流が均質化された状態を保っているため、下部から上部までの液分岐管５８のいずれにおいても乾き度（気相の質量流量比）が等しくなる。そのため、室外熱交換器３を通る室外空気がほぼ均一な風速分布の場合においては、冷媒の流量及び乾き度が等分配であれば、熱交換器出口のガス分岐管７１での冷媒状態はどの流路においても、ほぼ同じ比エンタルピーの冷媒状態となり、結果として、熱交換器の熱交換量を最大にすることが可能となる。このほぼ均一な風速分布状態での風速分布に対する冷媒流量の関係を図６に示す。
【００３６】
これに対して、室外熱交換器３を通る室外空気が不均一な風速分布である場合においては、図７に示すように、各冷媒流路の冷媒流量を調整しなければ熱交換器の性能を維持することができなくなる。このような場合には、その風速分布に合わせて各液分岐管５８の内面に形成された螺旋溝の内径，長さ，溝高さ，ピッチ，捩れ角度などに差を持たせることにより図７に示すような流量調整が可能となる。
【００３７】
図８は分岐管内面に螺旋溝を設けたものと、螺旋溝を設けない平滑管における冷媒流通時の流路抵抗を測定したものである。ここで、測定に使用した内面螺旋溝の形状はＪＩＳ  Ｂ０２０５で規定されているメートル並目ネジＭ５（内径４.１３４mm，溝高さ０.４３３mm）である。この測定結果から、同じ内径の管において螺旋溝付き管は平滑管の２倍程度の圧力損失があることが確認できる。このことから、冷媒流量調節に必要な流路抵抗を得るためには、螺旋溝付き管では長さを半分以下に短縮することが可能となる。よって、ヘッダ型の冷媒分配器においては、ヘッダと熱交換器との距離を縮めることが可能となり、機器の省スペース化や分岐管材料費の低減が可能になる。また、分岐管内径の極端に細いものを選択する必要もなくなり、金属粉等の冷凍サイクル中の異物による流路の閉塞も防止することが可能となり、信頼性も向上できる。
【００３８】
次に、図７に示すような風速分布を有する熱交換器に対して、冷媒通路（分岐管）毎の螺旋溝の内径と必要長さを検討した例を図９に示す。図７に示すような風速分布を有する熱交換器では、各冷媒通路毎の必要な流路抵抗は異なる。また、内面螺旋溝の内径は小さいほど冷媒流路の必要長さが短くなるため、螺旋溝付の分岐管の材料費は低減される。その反面、異物により分岐管が閉塞するリスクも高まると共に、溝加工の精度も高く要求され、加工コストが上昇する。そのため、螺旋溝部の内径は１.６〜３.０mm、長さは２０〜１６０mmの間で選択することが望ましい。
【００３９】
液分岐管５８内の螺旋溝形状の例を図１０〜図１２に示す。液ヘッダ５７と伝熱管３１の間隔はどの冷媒通路においても同一にし、液分岐管５８の長さは全て同一とすることが、構造の簡略化につながるため望ましい。そのためには螺旋溝の長さを変化させる必要がある。図１０は液分岐管５８の全長Ｌｔに対して、内面螺旋溝の長さをＬｍとし、残りの部分を溝の外径よりも大きな内径にしたものである。この構造にすることで、液分岐管５８の長さを変えずに螺旋溝部の長さを任意に選択することが可能となる。
【００４０】
図１１に示す液分岐管５８の例は、液分岐管５８の内部に螺旋溝形状を有するピース５９を挿入し、カシメ６２でピース５９を固定したものである。この構造を用いた場合、内面溝形状ピース５９として任意の長さのものを選択して用いることができる。また、螺旋溝加工を施した配管を加工し、その後に適宜長さに切断してピースを製作するようにすれば、加工コストを低減できる。
【００４１】
図１２の例では、分岐管の内面に螺旋溝を形成したり、図１１に示す螺旋溝形状を有するピースを挿入する代わりに、バネ状部材６１を挿入するようにしたものである。バネ状部材を構成する線材の断面形状は円形が一般的であるが、台形形状などにすると、バネ状に巻きつけた際にねじの内面形状に近い螺旋溝形状が実現できることから、そのような形状を選択することがより望ましい。また、この構造では溝加工の必要が無く、線材のらせん状巻き付け加工のみとなるため、上述の別の構造を用いた場合に対して更に加工コスト低減が図れる。
【００４２】
以上、室外熱交換器３が蒸発器として動作する暖房運転時の場合について、室外熱交換器に接続される冷媒分配器４０の説明をしてきたが、室内熱交換器８が蒸発器として作用する冷房運転時の場合でも、室内熱交換器に接続される冷媒分配器６０の構成・動作は、室外熱交換器に接続される冷媒分配器の場合と基本的に同じであるので、その説明については省略する。但し、室内機２００は室外機１００に比べて一般的に、ユニットに要求されるサイズが小さいため、より省スペース化が求められる上に、室内熱交換器を通過する空気の分布は偏る傾向が強い。従って、本発明の冷媒分配器を適用した場合の効果はより大きくなる。
【図面の簡単な説明】
【００４３】
【図１】本発明の冷媒分配器を備えた空気調和機の冷凍サイクル構成図である。
【図２】図１に示す室外熱交換器及びその周辺の詳細説明図（暖房運転時）である。
【図３】図２に示す冷媒分配器の断面構造を示す図である。
【図４】図２に示す冷媒分配器における均質流下部の断面図である。
【図５】均質流下部の他の例を示す図で図４に相当する図である。
【図６】本発明の冷媒分配器を備えた熱交換器が蒸発器として作用した場合の冷媒流量と風速分布の一例を示す線図である。
【図７】冷媒流量と風速分布の他の例を示すもので図６に相当する図である。
【図８】分岐管内面に螺旋溝を設けたものと、螺旋溝を設けない平滑管における冷媒流通時の流路抵抗を測定した線図である。
【図９】図７に示すような風速分布を有する熱交換器に対して、冷媒通路毎の螺旋溝の内径と必要長さを検討した例を示す線図である。
【図１０】本発明の冷媒分配器における分岐管部の一例を示す断面図である。
【図１１】本発明の冷媒分配器における分岐管部の他の例を示す断面図である。
【図１２】本発明の冷媒分配器における分岐管部の更に他の例を示す断面図である。
【符号の説明】
【００４４】
１  圧縮機
２  四方弁
３  室外熱交換器
４  室外膨張弁
５  液阻止弁
６  液側接続配管
７  室内膨張弁
８  室内熱交換器
９  ガス側接続配管
１０  ガス阻止弁
１１  アキュムレータ
３１  伝熱管
３２  フィン
４０  室外冷媒分配器
５０  均質流下部
５１  胴体
５２  流入口
５３  多孔体
５４  流出口
５５ａ，５５ｂ，６２  カシメ
５６ａ，５６ｂ  網目状フィルタ
５７  液ヘッダ
５８，５８ａ〜５８ｅ  液分岐管（分岐管）
５９  ピース
６０  室内冷媒分配器
６１  バネ状部材
７０  ガスヘッダ
７１  ガス分岐管
１００  室外機
２００  室内機
【図１】
2009222366.tif 000003
【図２】
2009222366.tif 000004
【図３】
2009222366.tif 000005
【図４】
2009222366.tif 000006
【図５】
2009222366.tif 000007
【図６】
2009222366.tif 000008
【図７】
2009222366.tif 000009
【図８】
2009222366.tif 000010
【図９】
2009222366.tif 000011
【図１０】
2009222366.tif 000012
【図１１】
2009222366.tif 000013
【図１２】
2009222366.tif 000014